(57)【要約】【課題】加温冷却時に、商品収納室への空気の対流を効率よく循環させることで消費エネルギーを低減した自動販売機を提供することを目的とする。【解決手段】商品収納室２を冷却あるいは加温するための熱交換器７と連通する庫内ダクト６と送風ユニット１２とを備え、庫内ダクト６は風路延長部６ｃを一体に形成し、送風ユニット１２は内部に送風ファン８を有し、熱交換器７を庫内ダクト６の風路延長部６ｃと送風ユニット１２とで挟み込んで固定したことにより、サービス性や組立性を損ねることなく商品収納室２への熱交換器７からの送風効率が高まり、低コストで省エネを図ることができる。【選択図】図２
2012008829.tif 000002
【特許請求の範囲】
【請求項１】
自動販売機の本体内部の商品収納室を冷却あるいは加温するための熱交換器と、前記熱交換器と連通する庫内ダクトと送風ユニットとを備えたもので、前記庫内ダクトは風路延長部を一体に形成し、前記送風ユニットは内部に送風ファンを有し、前記熱交換器を前記庫内ダクトの前記風路延長部と前記送風ユニットとで挟み込んで固定したことを特徴とする自動販売機。
【請求項２】
前記送風ユニットの上面爪部と前記庫内ダクトの前記風路延長部の係合部とで前記送風ユニットと前記庫内ダクトとを固定したことを特徴とする請求項１に記載の自動販売機。
【請求項３】
前記庫内ダクトの側面にフランジを形成したことを特徴とする請求項１または２に記載の自動販売機。
【発明の詳細な説明】
【技術分野】
【０００１】
本発明は、缶・びん入り飲料商品などの商品を冷却もしくは加温して販売する自動販売機に関するものである。
【背景技術】
【０００２】
近年、自動販売機の冷却装置は、商品を冷却すべく商品収納庫内を循環する循環エアーの経路の一部に庫内ダクトや冷却器を配設した冷却装置になってきている。（例えば、特許文献１参照）。
【０００３】
以下、図面を参照しながら、上記従来の自動販売機について説明する。
【０００４】
図３は、特許文献１に記載された従来の自動販売機の断面図である。前面を開口した箱状の自動販売機の本体１０１と、庫内に設けられた商品収納室１０２と、本体１０１の前面開口部を開閉する前面扉１０３と、前面扉１０３の内側に開閉自在に設けられる商品収納室１０２の内側扉１０４と、商品収納室１０２の内部に位置している商品を収納する商品収納棚１０５と、上下方向に長く上部に吸気口１０６ａと下部前面に排気口１０６ｂを有し商品収納室１０２の奥壁に設けられる庫内ダクト１０６と、排気口１０６ｂの前方に排気口１０６ｂと対向して商品収納室１０２の底壁に配置される冷却器１０７と、冷却器１０７で冷却された冷気を送風するための送風ファン１０８と、冷却器１０７と庫内ダクト１０６を固定するためのファンダクト１０９からなる送風ユニット１１２を設けた構造となっている。
【０００５】
上記構成において、商品収納室１０２には、矢印のように商品収納室１０２内部を循環する空気の流れがあり、冷却器１０７で冷却された空気を送風ファン１０８にて送風されて商品収納棚１０５の内部に収納されている商品を冷却する。
【先行技術文献】
【特許文献】
【０００６】
【特許文献１】特開２０００−１０５８６１号公報
【発明の概要】
【発明が解決しようとする課題】
【０００７】
しかしながら、上記従来の自動販売機では、冷却用の構成部品が奥行き方向に関して背面側にまとめて設置されているため、自動販売機の本体の奥行きが広くなると、前方への風量が減少し、冷却システムの運転率が上がるため、消費エネルギーが増大してしまうという課題を有していた。
【０００８】
本発明は上記従来の課題を解決するものであり、サービス性や組立性を損ねることなく、かつ低コストで省エネを図ることができる自動販売機を提供することを目的とする。
【課題を解決するための手段】
【０００９】
上記従来の課題を解決するために、本発明の自動販売機は、自動販売機の本体内部の商品収納室を冷却あるいは加温するための熱交換器と、前記熱交換器と連通する庫内ダクトと送風ユニットとを備えたもので、前記庫内ダクトは風路延長部を一体に形成し、前記送風ユニットは内部に送風ファンを有し、前記熱交換器を前記庫内ダクトの前記風路延長部と前記送風ユニットとで挟み込んで固定したものである。
【００１０】
これにより、サービス性や組立性を損ねることなく、商品収納室への熱交換器からの送風効率を高めることができる。
【発明の効果】
【００１１】
本発明の自動販売機は、商品収納室を冷却あるいは加温するための熱交換器と、前記熱交換器と連通する庫内ダクトと送風ユニットとを備え、前記庫内ダクトは風路延長部を一体に形成し、前記送風ユニットは内部に送風ファンを有し、前記熱交換器を前記庫内ダクトの前記風路延長部と前記送風ユニットとで挟み込んで固定したことにより、サービス性や組立性を損ねることなく商品収納室への熱交換器からの送風効率が高まり、低コストで省エネを図ることができる自動販売機を提供することができる。
【図面の簡単な説明】
【００１２】
【図１】本発明の実施の形態１における自動販売機の縦断面図
【図２】本発明の実施の形態１における冷却器周りの斜視図
【図３】従来の自動販売機の断面図
【発明を実施するための形態】
【００１３】
請求項１に記載の発明は、自動販売機の本体内部の商品収納室を冷却あるいは加温するための熱交換器と、前記熱交換器と連通する庫内ダクトと送風ユニットとを備えたもので、前記庫内ダクトは風路延長部を一体に形成し、前記送風ユニットは内部に送風ファンを有し、前記熱交換器を前記庫内ダクトの前記風路延長部と前記送風ユニットとで挟み込んで固定したものであり、サービス性や組立性を損ねることなく商品収納室への熱交換器からの送風効率が高まり、低コストで省エネを図ることができる自動販売機を提供することができる。
【００１４】
請求項２に記載の発明は、請求項１に記載の発明において、前記送風ユニットの上面爪部と前記庫内ダクトの前記風路延長部の係合部とで前記送風ユニットと前記庫内ダクトとを固定したものであり、さらに庫内ダクトの前記風路延長部と前記送風ユニットとの組立性を高めることができる。
【００１５】
請求項３に記載の発明は、請求項１または２に記載の発明において、前記庫内ダクトの側面にフランジを形成したものであり、庫内ダクトの強度を高めることができ、変形を防止することで商品収納室への熱交換器からの送風効率をさらに高めることができる。
【００１６】
以下、本発明の実施の形態について、図面を参照しながら説明する。なお、この実施の形態によってこの発明が限定されるものではない。
【００１７】
（実施の形態１）
図１は本発明の実施の形態１における自動販売機の縦断面図、図２は本発明の実施の形態１における冷却器周りの斜視図である。
【００１８】
図１、図２において、前面を開口した箱状の自動販売機の本体１と、庫内に設けられた商品収納室２と、本体１の前面開口部を開閉する前面扉３と、前面扉３の内側に開閉自在に設けられる商品収納室２の内側扉４と、商品収納室２の内部に位置している商品を収納する商品収納棚５と、上下方向に長く上部に吸気口６ａと下部前面に排気口６ｂを有し、商品収納室２の前後方向に長く延長された風路延長部６ｃとが一体に形成した庫内ダクト６が商品収納室２の底面奥部に設置されている。
【００１９】
また、排気口６ｂの前方に排気口６ｂと対向して熱交換器７が商品収納室２の底面に配置さている。熱交換器７で冷却された冷気を送風するための送風ファン８と、熱交換器７と庫内ダクト６を固定するためのファンダクト９、商品収納室２を加温するべく通電時に発熱するヒータ１０を収納したヒータＢＯＸ部１１を備えた送風ユニット１２が設置されている。ファンダクト９の上部奥面には爪部９ａ、庫内ダクト６の排気口６ｂの上部でファンダクト９の爪部９ａと対向する部分には、係合部６ｄがそれぞれ設けられており、係合部６ｄに爪部９ａを挿入することで送風ユニット１２と庫内ダクト６は嵌合でき、送風ユニット１２と庫内ダクト６の間に熱交換器７を挟みこむことで、ビス等の締結部材を使用することなく、熱交換器７と庫内ダクト６を商品収納室２内に設置することができる。
【００２０】
このとき、熱交換器７を間に介し、庫内ダクト６から送風ユニット１２の吹出口１２ａまで続く庫内循環空気の風路は途中で空気がもれないように板金部品の嵌め合い等で構成することで密閉構造としている。また、このとき、自動販売機の奥行きが違う機種によっては、送風ユニット１２の吹出口１２ａが庫内の奥行き方向に対し、より前面に位置するよう風路延長部６ｃの長さにより調整を行う。また、庫内ダクト６の両側面には板金部品の折り曲げによるフランジ１３ａが設けられており、風路延長部６ｃの側面全周にもフランジ１３ａを設けている。
【００２１】
また、庫内ダクトの天面には庫内ダクトの吸気口面積を狭めるようにフランジ１３ｂが設けられている。
【００２２】
以上のように構成された自動販売機について、以下その動作、作用を説明する。
【００２３】
まず、商品収納室２が冷却設定の場合、送風ファン８の働きにより、庫内ダクト６上部の吸気口６ａより庫内循環空気を吸い込む。吸い込まれた空気は熱交換器７によって冷やされ、商品収納棚５の内部に収納されている商品を冷却する。
【００２４】
同様に商品収納室２が加温設定の場合は、吸い込まれた空気はヒータ１０によって温められ、商品収納棚５の内部に収納されている商品を加温する。
【００２５】
このとき、庫内ダクト６から送風ユニット１２の吹出口１２ａまで続く庫内循環空気の風路は、庫内ダクト６の一部である風路延長部６ｃがあるため、吹出口１２ａを商品収納室２の奥行き方向のより前方に位置させることができる。これにより、庫内循環空気は前方より吹き出され、また、庫内ダクト６の吸気口６ａは背面にあるため、商品収納室２内の空気の循環は全域に渡って対流することとなり、トータルの対象負荷が減るため、冷却システムの運転率を下げることができ、消費エネルギーを低減することができる。また、風路延長部６ｃを庫内ダクト６と一体化して構成しているため、サービス時の交換作業や組立作業時の庫内ダクト６取り付けにおいて、時間短縮を実現することができる。
【００２６】
また、一体化することで部品点数の削減につながり、低コスト化が図れる。また、庫内ダクト６の両側面と風路延長部６ｃの側面全周にフランジ１３ａを設けているので、強度アップにより、庫内ダクト６の取り付け姿勢が安定するのでさらなる作業性の良化が図れる。また、庫内ダクト６の天面にフランジ１３ｂを設けて、庫内ダクト６の吸気口６ａの面積を狭めることで、商品収納室２内を対流する風量全体を減少することでさらなる消費エネルギーの低減を図ることができる。
【００２７】
なお、本実施の形態では庫内の加温にヒータ１０を用いるとしたが、ヒートポンプ回路により、熱交換器７を凝縮器として利用してもよい。この場合、加温時のＣＯＰを大きくすることができ、さらなる消費エネルギーの低減を実現できるという効果がある。
【産業上の利用可能性】
【００２８】
以上のように、本発明にかかる自動販売機は、風路の形成で消費エネルギーの低減が図れるため、冷温蔵庫等の用途にも適用できる。
【符号の説明】
【００２９】
１      本体
２      商品収納室
６      庫内ダクト
６ａ    吸気口
６ｂ    排気口
６ｃ    風路延長部
６ｄ    係合部
７      熱交換器
８      送風ファン
９ａ    爪部
１２    送風ユニット
１３ａ  フランジ
【図１】
2012008829.tif 000003
【図２】
2012008829.tif 000004
【図３】
2012008829.tif 000005